(57)【要約】【課題】１個の機器（１枚のカード）にて多数の機器（多数枚のカード）の機能を有して全ての施設（店舗）に適用でき、多数の機器（多数枚のカード）をユーザが携行する必要がなくなり、ユーザの利便性を高める携帯型表示器を提供する。【解決手段】通常時には、ユーザが会員となっている全ての店舗に関する情報（どこの店舗の会員になっているかのリスト）が、会員カード１の電子ペーパー２に一覧表示されている（ａ）。会員カード１を携行するユーザが、会員となっている１軒の店舗に入場した場合、会員カード１は、その店舗に入ったことを認識し、電子ペーパー２における表示内容をその店舗に関する情報に自動的に切り替える（ｂ）。ユーザが、その店舗の出口を通った場合、電子ペーパー２における表示内容を、全店舗の一覧表示に戻す（ａ）。【選択図】図３
2007233302.tif 000002
【特許請求の範囲】
【請求項１】
複数の施設に関する情報を表示する携帯型表示器において、前記複数の施設全体に関する情報と、前記複数の施設の中の一つの施設に関する情報とを切り替えて表示する表示手段を備えることを特徴とする携帯型表示器。
【請求項２】
前記複数の施設の中の何れかの施設に存するか否かを認識する認識手段を備え、該認識手段にて、前記複数の施設の中の何れかの施設に存することを認識した場合に、存する施設に関する情報を表示するように構成したことを特徴とする請求項１記載の携帯型表示器。
【請求項３】
前記複数の施設全体に関する情報の表示への切り替えを受け付ける手段を備えることを特徴とする請求項１または２記載の携帯型表示器。
【請求項４】
前記複数の施設夫々に関する情報の書換えが可能であることを特徴とする請求項１乃至３の何れかに記載の携帯型表示器。
【請求項５】
請求項１乃至４の何れかに記載の携帯型表示器を用いて、前記複数の施設に関する情報を管理することを特徴とする情報管理システム。
【発明の詳細な説明】
【技術分野】
【０００１】
本発明は、ユーザに携行されて、複数の施設（店舗、建造物など）に関する情報を表示する携帯型表示器、及び、この携帯型表示器を用いて複数の施設に関する情報を管理する情報管理システムに関する。
【背景技術】
【０００２】
ユーザが利用する各種の小売店などの店舗では、ユーザに会員カードを発行し、発行した会員カードにより、購入金額に応じて次回以降の購入割引額を蓄積していくポイント管理を行うサービスが広く行われている。このような会員カードは、各店舗毎または各企業毎に発行されている。したがって、各ユーザは、複数の店舗夫々から発行される複数枚の会員カードを常に携行しておく必要があり、また、行った先の店舗に対応した特定の会員カードをこれらの複数枚の会員カードから探さなければならず、煩わしいという問題がある。
【０００３】
このような問題を解決するためのカードが提案されている（特許文献１参照）。特許文献１では、顔写真付き証明証を対象としており、１枚のカードに、証明写真の画像データと、これに関連するＩＤ情報と、画像データ及びＩＤ情報を所定のカード発行機関が承認したことを示すＩＤ認証情報とを１セットとして、その複数セットを記憶させておき、必要時に所望のセットの画像データ及びＩＤ情報を表示することにより、社員証、運転免許証などの個人を特定する証明証を１枚のカードで済ませている。
【特許文献１】特開２００５−２８４６７７号公報
【発明の開示】
【発明が解決しようとする課題】
【０００４】
しかしながら、特許文献１に記載されたカードを、小売店の会員カードに適用した場合には、多数ある会員登録先の店舗を一覧表示することができないため、ユーザは一目で全ての会員登録先の店舗を確認できず、ポイントカードのような店舗の会員カードとしては利用しにくいという問題がある。
【０００５】
本発明は斯かる事情に鑑みてなされたものであり、全ての施設（店舗）に関する情報の表示と一つの特定の施設（店舗）に関する情報の表示とを切り替えることにより、１個の機器（１枚のカード）にて多数の機器（多数枚のカード）の機能を有して全ての施設（店舗）に適用できて、多数の機器（多数枚のカード）をユーザが携行する必要がなくなり、ユーザの利便性を高める携帯型表示器、及び、この携帯型表示器を用いて複数の施設に関する情報を管理する情報管理システムを提供することを目的とする。
【課題を解決するための手段】
【０００６】
本発明に係る携帯型表示器は、複数の施設に関する情報を表示する携帯型表示器において、前記複数の施設全体に関する情報と、前記複数の施設の中の一つの施設に関する情報とを切り替えて表示する表示手段を備えることを特徴とする。
【０００７】
本発明の携帯型表示器にあっては、複数の施設（店舗）全体に関する情報の表示と、施設（店舗）個々に関する情報の表示とを切り替える。よって、複数の施設（店舗）全体に関する情報を一覧表示するので、ユーザは一目で全ての施設（店舗）に関する情報を視認できて便利である。また、１個の携帯型表示器（１枚のカード）にて、全ての施設（店舗）に関する情報が表示されるため、ユーザは多数個の携帯型表示器（多数枚のカード）を携行する必要がなく、ユーザの利便性は高い。
【０００８】
本発明に係る携帯型表示器は、前記複数の施設の中の何れかの施設に存するか否かを認識する認識手段を備え、該認識手段にて、前記複数の施設の中の何れかの施設に存することを認識した場合に、存する施設に関する情報を表示するように構成したことを特徴とする。
【０００９】
本発明の携帯型表示器にあっては、使用環境に応じて、全施設（全店舗）に関する情報が表示されたり、各施設（各店舗）に関する情報が表示されたりする。特定の施設（店舗）に存する場合には、その特定の施設（店舗）に関する情報が表示され、何れの施設（店舗）にも存しない場合には、全施設（全店舗）に関する情報が表示さる。即ち、ユーザが施設（店舗）に入場した際に、その施設（店舗）に関する情報の表示に切り替えられ、ユーザが施設（店舗）から退場した際に、全施設（全店舗）に関する情報の表示に切り替えられる。よって、ユーザの利便性は極めて高い。
【００１０】
本発明に係る携帯型表示器は、前記複数の施設全体に関する情報の表示への切り替えを受け付ける手段を備えることを特徴とする。
【００１１】
本発明の携帯型表示器にあっては、ユーザから所定の入力（ボタン操作など）を受けた場合、全施設（全店舗）に関する情報の表示に切り替わる。よって、ユーザは、所望のタイミングで全施設（全店舗）に関する情報を取得する。
【００１２】
本発明に係る携帯型表示器は、前記複数の施設夫々に関する情報の書換えが可能であることを特徴とする。
【００１３】
本発明の携帯型表示器にあっては、個々の施設（店舗）に関する情報が、例えばその施設（店舗）に存する間に書き換えられる。よって、ポイント管理などを容易に行える。
【００１４】
本発明に係る情報管理システムは、上記何れかの携帯型表示器を用いて、前記複数の施設に関する情報を管理することを特徴とする。
【００１５】
本発明の情報管理システムにあっては、上述したような１個の携帯型表示器（１枚のカード）にて、全ての施設（店舗）に関する情報を管理する。よって、その管理を容易に行える。
【発明の効果】
【００１６】
本発明の携帯型表示器では、複数の施設（店舗）全体に関する情報と、複数の施設（店舗）の中の一つの施設（店舗）に関する情報とを切り替えて表示するようにしたので、複数の施設（店舗）全体に関する情報の一覧表示により、ユーザは一目で全ての施設（店舗）に関する情報を視認でき、また、１個の携帯型表示器（１枚のカード）を用いた全ての施設（店舗）に関する情報の表示により、ユーザは多数個の携帯型表示器（多数枚のカード）を携行する必要がなくなり、ユーザの利便性を向上することができる。
【００１７】
また、本発明の携帯型表示器では、複数の施設（店舗）の中の何れかの施設（店舗）に存することを認識した場合に、存する施設（店舗）に関する情報を表示し、複数の施設（店舗）の中の何れの施設（店舗）にも存しないことを認識した場合に、複数の施設（店舗）全体に関する情報を表示するようにしたので、使用環境に応じた最適な情報をユーザに呈示することができる。
【００１８】
また、本発明の携帯型表示器では、複数の施設（店舗）全体に関する情報の表示への切り替えを受け付けるようにしたので、ユーザは、所望のタイミングで全施設（全店舗）に関する情報を視認することができる。
【００１９】
また、本発明の携帯型表示器では、複数の施設（店舗）夫々に関する情報の書換えが可能であるようにしたので、例えば店舗における各ユーザ毎のポイント管理を容易に行うことができる。
【００２０】
また、本発明では、このような１個の携帯型表示器（１枚のカード）を用いて、全ての施設（店舗）に関する情報を管理するようにしたので、情報管理を簡便に行うことができる。
【発明を実施するための最良の形態】
【００２１】
以下、本発明をその実施の形態を示す図面を参照して具体的に説明する。なお、以下の実施の形態では、小売店などの店舗を施設とし、店舗が発行するポイント管理用の会員カードを携帯型表示器とする場合について説明するが、本発明がこの実施の形態に限定されるものでない。
【００２２】
図１は、本発明の携帯型表示器としての会員カード１の平面図であり、図１（ａ）はその表面、図１（ｂ）はその裏面を示している。ユーザが携行する会員カード１は、プラスチック基板の表面に電子ペーパー２を設け、その裏面にユーザ操作を受け付ける操作入力部３、電源用のバッテリ４、ＣＰＵ，メモリなどとして機能するＩＣチップ５、無線通信用のアンテナ６などを設けた構成をなしている。
【００２３】
図２は、会員カード１の機能ブロック図である。電子ペーパー２は、ユーザが会員となっている全ての店舗に関する情報を表示したり、ユーザが会員となっている各店舗に関する情報を表示したりする。これらの全ての店舗に関する情報、及び各店舗に関する情報の内容の詳細については後述する。操作入力部３は、電子ペーパー２における表示を全ての店舗に関する情報の表示に切り替えるためのユーザ入力を受け付ける一覧表示ボタン３ａ、電子ペーパー２における表示を個別の店舗に関する情報の表示に切り替えるためのユーザ入力を受け付ける個別表示ボタン３ｂなどを有している。バッテリ４は、ソーラ電池などを利用できる。ＩＣチップ５は、電子ペーパー２における情報の表示切り替えを含む表示制御機能、操作入力部３を介して受けつけられたユーザの入力操作を解析して実行する動作制御機能、アンテナ６による受信結果に基づき会員カード１がどの店舗内に存しているかを認識する認識機能などの機能を果たすＣＰＵ７と、表示用のイメージデータなどを格納するメモリ８とを備えている。
【００２４】
以下、このような構成をなす本発明の会員カード１を利用した店舗でのポイント管理の概要について説明する。
【００２５】
会員登録されたユーザには、会員カード１が発行される。この会員カード１は、通常時には、そのユーザが会員となっている全ての店舗に関する情報、つまりどこの店舗の会員になっているかのリストが電子ペーパー２に一覧表示されている。図３（ａ）は、この一覧表示の具体的な一例を示しており、この例では、全ての店舗における名称，ポイント残高，最終取引日，金額などの情報が、電子ペーパー２に一覧表示されている。
【００２６】
そして、この会員カード１を携行するユーザが、会員となっている１軒の店舗に入場した場合、会員カード１は、その店舗に入ったことを認識し、電子ペーパー２における表示内容をその店舗に関する情報に自動的に切り替える。各店舗の入口では、その店舗を特定する識別コードを含む無線電波が発信されており、会員カード１はこの無線電波をアンテナ６を介して受信して解析し、どの店舗に居るかの情報（識別コード）をメモリ８に一旦保存し、その店舗に関する情報を電子ペーパー２に表示して、ユーザに呈示する。図３（ｂ）は、各店舗に関する情報表示の具体的な一例を示しており、この例では、その店舗におけるポイント残高，今回のポイント数，今回の購入金額，使用可能なクレジットカードなどの情報が、電子ペーパー２に表示されている。
【００２７】
その店舗内で、ユーザが商品を購入した場合、ＰＯＳでの精算時に、会員カード１の情報（ポイント数）が更新され、会員カード１の電子ペーパー２における表示内容も更新される。
【００２８】
買い物を終了したユーザが、その店舗の出口を通った場合、会員カード１は、その店舗から退場したことを認識し、電子ペーパー２における表示内容を、図３（ａ）に示すような全ての店舗に関する情報の一覧表示に自動的に切り替える。各店舗の出口では、その店舗の識別コードをクリアするための無線電波が発信されており、会員カード１はこの無線電波をアンテナ６を介して受信して解析し、メモリ８に保存しておいた識別コードがクリアされて、登録先の全店舗に関する情報を示す一覧表示に戻される。
【００２９】
以上のように、本発明の会員カード１は１枚にて、複数枚の会員カードの機能を有している。よって、ユーザは、多数枚の会員カードを携行する必要がなくて便利であり、多数の店舗におけるポイント管理も容易に行える。また、買い物をする店舗に応じた所定の会員カードを多数枚の会員カードから捜し出す煩わしさもなくなる。一方、店舗側にあっては、このような１枚の会員カードによるポイント管理システムに加入しておれば、自分の店舗にてカードを発行することが不要となる。
【００３０】
また、本発明の会員カード１では、通常時に、会員となっている全店舗の情報が一覧表示されており、どこの店舗の会員になっているかをユーザは即座に認識できる。ユーザが会員登録先の店舗を利用する際には、その店舗に関する情報に表示が切り替わり、自動的にその店舗用の会員カードに変更される。ユーザが店舗を出ると、元の全店舗の情報の一覧表示に自動的に戻る。このように本発明の会員カード１では、使用環境（使用目的）に応じて、その表示内容が自動的に変更されるので、それを携行するユーザの利便性は非常に高い。
【００３１】
なお、基本的には、店舗内にユーザが居る間は、その店舗に関する情報（図３（ｂ））が表示されているが，ユーザは、一覧表示ボタン３ａを押下することにより、全店舗に関する情報の一覧表示に戻すことも可能である。よって、店舗内にて他の店舗に関する情報をユーザが取得したい場合などに、この一覧表示ボタン３ａによる機能は極めて有用である。更に、個別表示ボタン３ｂを押下すれば、その店舗に関する情報を再び表示することも可能である。
【００３２】
以下、本発明について更に詳述する。図４は、会員カード１の基本情報管理レコードの一例を示す図であり、このような基本情報管理レコードは会員カード１の新規登録時に設定される。また、図５は、会員カード１の会員管理レコードの一例を示す図であり、このような会員管理レコードは、店舗登録をした際に初期値が与えられ、その後店舗で商品を購入する都度、店舗内のＰＯＳによって更新される。
【００３３】
図６は、会員管理レコードにおける会員カード画像レコードの一例を示す図であり、各店舗毎の個別の画像イメージと、一覧表示時の画像イメージとが登録記憶されている。そして、これらの画像イメージと、図３（ａ）または（ｂ）に示したような情報とが合成されて、その合成画像が会員カード１の電子ペーパー２に表示される。図７は、会員カード１のアプリケーション管理レコードの一例を示す図であり、各店舗毎に設定された個別のアプリケーションプログラムは、会員カード１における各店舗毎の情報管理（ポイント管理など）を実行する。
【００３４】
次に、本発明の会員カード１を利用したポイント管理システムの動作について説明する。まず、会員カード１の登録処理に関して説明する。図８は、会員カード１登録時の処理手順を示すフローチャート、図９は会員カード１の新規登録時における処理、つまり会員カード１を未だ保有していないユーザについての新規登録処理の流れを示す図、図１０は会員カード１の店舗追加登録時における処理、つまり会員カード１を既に保有しているユーザについての追加登録処理の流れを示す図である。
【００３５】
全く新規に会員カード１を登録する場合、つまり新規登録時には（ステップＳ１：ＹＥＳ）、ユーザ固有の顧客コードを採番して、そのユーザを特定する個人情報（基本情報管理レコード：図４参照）をメモリ８に登録し（ステップＳ２）、会員カード１の基本プログラムと一覧表示用の画像データ（図６参照）とをメモリ８へダウンロードする（ステップＳ３）。このような新規登録処理は、店舗内のＰＣまたはＰＯＳで行われる。この一覧表示用の画像データは本部から配布され、登録した個人情報は本部のマスターデータベースに格納される。
【００３６】
Ｓ２，Ｓ３の処理を終了した後、または、会員カード１に追加の店舗を登録する場合つまり追加登録時には（Ｓ１：ＮＯ）、その店舗の会員番号を採番し（ステップＳ４）、店舗内の会員管理サーバに会員管理レコード（図５参照）を作成する（ステップＳ５）。店舗内のＰＯＳにより、その店舗固有の画像データ（図６参照）とアプリケーションプログラム（図７参照）とをメモリ８へダウンロードする（ステップＳ６）。このような追加登録処理は、店舗内のＰＣまたはＰＯＳで行われる。この店舗固有の画像データは本部から配布され、登録した店舗追加情報は本部のマスターデータベースに格納される。
【００３７】
その店舗固有の画像データと店舗固有の会員情報（会員番号，ポイントデータなど）とを合成し、その合成画像を会員カード１の電子ペーパー２に表示する（ステップＳ７）。      
【００３８】
図９，図１０におけるイメージデータ更新処理は、会員カード１に対する共通情報及び店舗固有情報をイメージデータとしてメモリ８に記憶させる処理であり、各店舗のポイント情報については、会員カード１のイメージデータにポイント情報を反映させて再イメージ化される。
【００３９】
次に、登録された会員カード１を携帯したユーザが店舗へ行って商品を購入する場合の動作について説明する。図１１は、このときの処理手順を示すフローチャート、図１２はユーザが店舗へ入場する際の処理の流れを示す図、図１３はユーザが店舗内で商品を購入した際の処理の流れを示す図、図１４はユーザが店舗から退場する際の処理の流れを示す図である。
【００４０】
ユーザは会員カード１を携行して店舗へ入場する（ステップＳ１１）。店舗へ入場するまでは、会員カード１の電子ペーパー２には、全店舗の情報が一覧表示されている。店舗の入口で、その店舗の識別コードを表す無線電波を受信した場合（ステップＳ１２：ＹＥＳ）、会員カード１の電子ペーパー２における表示を、全店舗の一覧表示からその店舗固有の情報表示に切り替える（ステップＳ１３）。その店舗の画像データとその店舗に関する会員情報とを合成して、その合成画像を電子ペーパー２に表示する。また、アプリケーションプログラムもその店舗用に切り替える。なお、上記無線電波を受信しない場合には（Ｓ１２：ＮＯ）、Ｓ１３の処理は行われない。
【００４１】
ユーザが店舗で商品を購入した場合（ステップＳ１４：ＹＥＳ）、そのＰＯＳ精算時に携行した会員カード１を提示する（ステップＳ１５）。このとき、会員カード１のメモリ８に記憶されている会員情報が、今回の購入内容に応じて更新される（ステップＳ１６）。会員カード１のメモリ８に記憶されている会員情報が取り込まれ、取り込まれた会員情報に今回の購入内容を盛り込ませて、会員情報が更新される。更新された会員情報は、メモリ８に記憶される。この際、ポイント情報については、会員カード１のイメージデータに今回の購入内容を反映させて、再イメージ化される。また、本部のマスターデータベースにおける会員情報も、購入内容に応じて更新される。
【００４２】
その店舗固有の画像データと更新された店舗固有の会員情報とを合成し、その合成画像を会員カード１の電子ペーパ２に表示する（ステップＳ１７）。図１５は、その表示例を示している。なお、ユーザが店舗で商品を購入しない場合には（Ｓ１４：ＮＯ）、Ｓ１５〜Ｓ１７の処理は行われない。
【００４３】
買い物を終えたユーザは、その店舗の出口から退場する（ステップＳ１８）。店舗の出口で、その店舗の識別コードをクリアするための無線電波を受信した場合（ステップＳ１９：ＹＥＳ）、会員カード１の電子ペーパー２における表示を、その店舗固有の情報表示から全店舗の一覧表示に切り替える（ステップＳ２０）。一覧表示用の画像データと全店舗に関する情報とを合成して、その合成画像を電子ペーパー２に表示する。図１６は、その表示例を示している。なお、上記無線電波を受信しない場合には（Ｓ１９：ＮＯ）、Ｓ２０の処理は行われない。
【００４４】
一覧表示用の画像データと全店舗に関する情報とを合成する機能、及び、店舗固有の画像データと店舗固有の会員情報とを合成する機能は、会員カード１自身に持たせても良いし、店舗内の端末機に持たせても良い。店舗内の端末機に持たせる場合には、取り込んだ合成画像データをメモリ８に記憶するだけで良いので、会員カード１内部の構成を簡略化できる。
【００４５】
なお、上述した実施の形態では、店舗の入口と出口とが異なる場合について説明したが、出入口が一箇所である場合には、店舗内から近位の場所で識別コードを含む無線電波を発信し、店舗内から遠位の場所で識別コードをクリアする無線電波を発信するようにすれば、支障無く表示内容の切り替えを行える。
【００４６】
また、上述した実施の形態では、無線電波の通信によって、店舗への入場／店舗からの退場を認識するようにしたが、店舗への入場時、店舗からの退場時に、店舗に設けた所定の端末機に会員カード１を入力させることによって、店舗への入場／店舗からの退場を認識して、電子ペーパー２における表示内容を切り替えるようにしても良い。
【００４７】
また、上述した実施の形態では、電子ペーパー２に画像を表示するようにしたが、液晶パネルのようなディスプレイを設けて、そこに表示するように構成しても良い。
【００４８】
また、一覧表示ボタン３ａの押下により一覧表示に戻せるようにしたが、これとは異なり、会員カード１内部にタイマを備えておき、ユーザが店舗内に入ってから所定時間後に一覧表示に戻るように構成することも可能である。また、店舗内の端末機を介して、一覧表示に戻るように構成しても良い。
【００４９】
ところで、会員カード（携帯型表示器）を用いた店舗（施設）におけるポイント管理を実施の形態としたが、本発明はこれ以外に種々の適応が可能である。例えば、施設として、複数の建造物を有する大学、図書館、官公庁などが考えられる。このような施設で利用する場合には、通常は複数の建造物に関する情報（例えば全建造物の地図情報）が表示され、ある特定の建造物に入った際にその建造物に関する情報（例えばその建造物内の地図情報）の表示に切り替わり、その特定の建造物から出た際に複数の建造物に関する情報（例えば全建造物の地図情報）の表示に戻る。また、各階を１つの施設と見なせば、マンション、アパートにも本発明を同様に適用できる。更に、大学、図書館、官公庁などをそれぞれ１つの施設と見なして、これらの施設の全てを記載した地図情報の表示と、各施設の地図情報の表示とを切り替えるようにすることもできる。また、大学内に入った場合には学生証として機能し、コンビニエントストアに入った場合にはポイントカードとして機能するようなカード適用も可能である。
【００５０】
また、本発明の携帯型表示器は、カードに限定されるものではなく、表示機能を有するものであれば任意の機器を使用できる。例えば、携帯電話器についても本発明を同様に適用できる。携帯電話器は、電池を内蔵しており、表示機能及び通信機能も装備しているので、本発明の携帯型表示器となり得るための条件を十分に満たしている。
【００５１】
以上の本発明の実施の形態または実施例に関し、更に以下の付記を開示する。
（付記１）  複数の施設に関する情報を表示する携帯型表示器において、前記複数の施設全体に関する情報と、前記複数の施設の中の一つの施設に関する情報とを切り替えて表示する表示手段を備えることを特徴とする携帯型表示器。
（付記２）  前記複数の施設の中の何れかの施設に存するか否かを認識する認識手段を備え、該認識手段にて、前記複数の施設の中の何れかの施設に存することを認識した場合に、存する施設に関する情報を表示するように構成したことを特徴とする付記１記載の携帯型表示器。
【００５２】
（付記３）  前記複数の施設全体に関する情報の表示への切り替えを受け付ける手段を備えることを特徴とする付記１または２記載の携帯型表示器。
（付記４）  前記複数の施設夫々に関する情報の書換えが可能であることを特徴とする付記１乃至３の何れかに記載の携帯型表示器。
【００５３】
（付記５）  カード形状をなすことを特徴とする付記１乃至４の何れかに記載の携帯型表示器。
（付記６）  前記複数の店舗の中の一つの施設に関する情報は、該一つの施設を特定する画像データを含むことを特徴とする付記１乃至５の何れかに記載の携帯型表示器。
（付記７）  前記認識手段は、無線通信により、前記複数の施設の中の何れかの施設に存するか否かを認識するように構成したことを特徴とする付記２乃至６の何れかに記載の携帯型表示器。
【００５４】
（付記８）  前記一つの施設に関する情報の表示への切り替えを受け付ける手段を備えることを特徴とする付記１乃至７の何れかに記載の携帯型表示器。
（付記９）  前記施設は店舗であり、店舗への入場／店舗からの退場に応じて、複数の店舗の中の一つの店舗に関する情報の表示／複数の店舗全体に関する情報の表示を切り替えるように構成したことを特徴とする付記１乃至８の何れかに記載の携帯型表示器。
【００５５】
（付記１０）  付記１乃至９の何れかに記載の携帯型表示器を用いて、前記複数の施設に関する情報を管理することを特徴とする情報管理システム。
【図面の簡単な説明】
【００５６】
【図１】本発明の会員カード（携帯型表示器）の平面図である。
【図２】会員カードの機能ブロック図である。
【図３】会員カードにおける表示例を示す図である。
【図４】基本情報管理レコードの一例を示す図である。
【図５】会員管理レコードの一例を示す図である。
【図６】会員カード画像レコードの一例を示す図である。
【図７】アプリケーション管理レコードの一例を示す図である。
【図８】会員カード登録時の処理手順を示すフローチャートである。
【図９】会員カードの新規登録時における処理の流れを示す図である。
【図１０】会員カードの店舗追加登録時における処理の流れを示す図である。
【図１１】店舗での商品購入時の処理手順を示すフローチャートである。
【図１２】ユーザが店舗へ入場する際の処理の流れを示す図である。
【図１３】ユーザが店舗内で商品を購入した際の処理の流れを示す図である。
【図１４】ユーザが店舗から退場する際の処理の流れを示す図である。
【図１５】会員カードにおける表示例を示す図である。
【図１６】会員カードにおける表示例を示す図である。
【符号の説明】
【００５７】
１  会員カード（携帯型表示器）
２  電子ペーパー
３  操作入力部
３ａ  一覧表示ボタン
４  バッテリ
５  ＩＣチップ
６  アンテナ
７  ＣＰＵ
８  メモリ
【図１】
2007233302.tif 000003
【図２】
2007233302.tif 000004
【図３】
2007233302.tif 000005
【図４】
2007233302.tif 000006
【図５】
2007233302.tif 000007
【図６】
2007233302.tif 000008
【図７】
2007233302.tif 000009
【図８】
2007233302.tif 000010
【図９】
2007233302.tif 000011
【図１０】
2007233302.tif 000012
【図１１】
2007233302.tif 000013
【図１２】
2007233302.tif 000014
【図１３】
2007233302.tif 000015
【図１４】
2007233302.tif 000016
【図１５】
2007233302.tif 000017
【図１６】
2007233302.tif 000018